(57)【特許請求の範囲】
【請求項１】
表示装置に表示される映像を、視聴者に対して表示状態と非表示状態とに切り替える表示状態切替機構を有する表示状態切替用眼鏡において、
上記表示状態切替用眼鏡の着用時に、上記表示状態切替機構を動作させるための電源が、上記表示状態切替機構を動作させ得るスタンバイ状態にあることを上記視聴者に認識させる認識手段と、
テンプルが着用準備位置から更に開かれることで、上記電源を上記スタンバイ状態とする電源制御手段と、を備え、
上記認識手段として、上記テンプルが着用準備位置から更に開かれる場合にノッチ音が発生するヒンジを備え、
上記ノッチ音の発生により、上記電源がスタンバイ状態になったことを上記視聴者に認識させることを特徴とする表示状態切替用眼鏡。
【請求項２】
上記電源制御手段は、上記テンプルが、上記着用準備位置あるいは当該着用準備位置よりも閉じられた位置である場合、上記電源を上記表示状態切替機構を動作させ得ない休止状態とすることを特徴とする請求項１に記載の表示状態切替用眼鏡。
【請求項３】
上記認識手段は、上記電源が上記スタンバイ状態である場合に、上記表示状態切替用眼鏡のレンズのいずれかの位置に、上記電源が上記スタンバイ状態であることを表示するものであることを特徴とする請求項１に記載の表示状態切替用眼鏡。
【発明の詳細な説明】
【技術分野】
【０００１】
本発明は、表示装置に表示される映像を、視聴者に対して表示状態と非表示状態とに切り替えることで、左右の目の視差を利用した立体（３次元、３Ｄ）映像を視聴したり、複数人で異なった平面（２次元、２Ｄ）映像を視聴するために用いられる表示状態切替用眼鏡に関するものである。
【背景技術】
【０００２】
近年、２次元映像以外の３次元映像の視聴方法等の研究が盛んになってきており、立体映像表示装置は映画や家庭用テレビへ普及し始め身近になりつつある。３次元映像を視聴するには、例えば、３次元映像専用の左目用映像及び右目用映像を別々に表示し、偏向メガネやシャッタ眼鏡等で２つの映像を、左目及び右目のそれぞれの目のみで視覚するといった方法が用いられる。
【０００３】
シャッタ眼鏡の場合、物体の３次元データから、左目用２次元データと右目用２次元データを算出して交互にディスプレイ装置に表示させ、ディスプレイ装置の交互表示と同期して液晶眼鏡が開閉し、立体視可能とする手段が特許文献１に記載されている。
【先行技術文献】
【特許文献】
【０００４】
【特許文献１】特開昭６２−１７４７９３号公報（１９８７年７月３１日公開）
【発明の概要】
【発明が解決しようとする課題】
【０００５】
現在、液晶シャッタ眼鏡を用いて視聴する３次元映像が普及し始めているものの、３次元映像の普及は未だ始まったばかりであり、３次元映像を見慣れていない視聴者が多い。したがって、視聴者によっては、３次元映像と２次元映像との区別が難しく、正常な状態で３次元映像を視聴できているのか不安になる場合がある。
【０００６】
また、ゲーム視聴において、複数人で同じ表示装置に表示される映像を、シャッタ眼鏡を用いて視聴者によって異なった映像を視聴できるようにするなど、液晶シャッタ眼鏡は、複数の視聴者が同一画面に切り替えて表示される映像を個別に視聴する際にも用いられることが考えられる。しかしながら、このような状況においても、正常な状態で映像を個別に視聴できているか不安になる場合がある。
【０００７】
これらの場合、従来の液晶シャッタ眼鏡では、シャッタ眼鏡が正常に作動しているかを確認するため、たとえば、液晶シャッタ眼鏡のヨロイ（レンズの縁とテンプル開閉部の間）にある主電力のインジケーターを視聴者は確認する必要がある。しかしながらそのようにインジケーターを確認するために、視聴者はシャッタ眼鏡を取り外す必要があり、大変な煩わしさを感じていた。
【０００８】
本発明は、上記従来の問題点に鑑みなされたものであって、立体映像あるいはそれぞれの視聴者向けの個別の映像を正常に視聴できているかどうかという不安感を低減することができる表示状態切替用眼鏡を提供することを目的とする。
【課題を解決するための手段】
【０００９】
本発明に係る表示状態切替用眼鏡は、上記の課題を解決するために、表示装置に表示される映像を、視聴者に対して表示状態と非表示状態とに切り替える表示状態切替機構を有する表示状態切替用眼鏡において、上記表示状態切替用眼鏡の着用時に、上記表示状態切替機構を動作させるための電源が、上記表示状態切替機構を動作させ得るスタンバイ状態にあることを上記視聴者に認識させる認識手段を備えていることを特徴としている。
【００１０】
ここで、スタンバイ状態とは、例えば視聴者がテレビにて３次元映像を視聴する際に、テレビに３次元映像専用の左目用映像及び右目用映像を交互に表示させる周期と、表示状態切替用眼鏡の左目用液晶シャッタ及び右目用液晶シャッタを交互に開閉させる周期とを同期させるためにテレビから送信される信号を表示状態切替用眼鏡が受信し、表示状態切替用眼鏡の左目用液晶シャッタ及び右目用液晶シャッタを交互に開閉させ得る状態をいう。
【００１１】
また、本明細書における表示状態切替用眼鏡を構成する部位を図１１に基づいて説明しておく。図１１に示すように、レンズの周りを囲む縁の部位をリム、左右の２つのリムをつなぐ部位をブリッジ、視聴者の耳に接触して顔を挟み込む部位をテンプル、テンプルの開閉を担う部位をヒンジ、リムからヒンジまでの部位をヨロイ、及び、鼻と接触し眼鏡を支える固定する部位をノーズパッドとして、本明細書では記載している。
【００１２】
そして、本発明の上記構成によれば、表示状態切替用眼鏡の着用時に、電源が表示状態切替機構を動作させ得るスタンバイ状態にあることを、認識手段によって視聴者が認識することができる。それにより、視聴者が立体映像を視聴する際、または、１つの表示装置にて複数人の視聴者がそれぞれの視聴者向けの個別の映像を視聴する際に生じる、表示状態切替用眼鏡を正しく動作させて、立体映像またはそれぞれの視聴者向けの個別の映像を視聴できているかどうかという不安感を低減することができる。
【００１３】
また、テンプルが開かれることで、上記電源を上記スタンバイ状態とする第１電源制御手段を備えていることが望ましい。
【００１４】
上記構成によれば、テンプルが開かれることで、電源をスタンバイ状態にする第１電源制御手段を備えている。そのため、表示状態切替用眼鏡の着用動作に伴うテンプルを開くという動作により、第１電源制御手段が確実に電源をスタンバイ状態にすることができる。
【００１５】
また、テンプルが着用準備位置から更に開かれることで、上記電源を上記スタンバイ状態とする第２電源制御手段を備えていることが望ましい。
【００１６】
上記構成によれば、テンプルが着用準備位置から更に開かれることで、電源をスタンバイ状態とする第２電源制御手段を備えている。そのため、表示状態切替用眼鏡の着用動作に伴うテンプルを更に開くという動作により、第２電源制御手段が確実に電源をスタンバイ状態にすることができる。
【００１７】
また、テンプルを更に開くという動作から電源をスタンバイ状態にしたという連想が伴い、表示状態切替用眼鏡を正しく動作させて立体映像、または、それぞれの視聴者向けの個別の映像を視聴できているという安心感を視聴者に与えることができる。
【００１８】
また、上記第２電源制御手段は、上記テンプルが、上記着用準備位置あるいは当該着用準備位置よりも閉じられた位置である場合、上記電源を上記表示状態切替機構を動作させ得ない休止状態とすることが望ましい。
【００１９】
上記構成によれば、第２電源制御手段は、テンプルが着用準備位置あるいは着用準備位置よりも閉じられた位置である場合、電源を休止状態とする。そのため、視聴者が表示状態切替用眼鏡を外し、テンプルが着用準備位置に戻ったこと、あるいは着用準備位置よりも閉じられた位置にテンプルがあることにより、第２電源制御手段が電源を休止状態として、消費電力を低減できる。
【００２０】
また、ノーズパッドが鼻に接触したことで、上記電源を上記スタンバイ状態とする第３電源制御手段を備えていることが望ましい。
【００２１】
上記構成によれば、ノーズパッドが鼻に接触したことで電源をスタンバイ状態とする第３電源制御手段を備えている。そのため、表示状態切替用眼鏡の着用動作に伴いノーズパッドが鼻に当たっていることにより、第３電源制御手段が確実に電源をスタンバイ状態にすることができる。また、視聴者は、表示状態切替用眼鏡の着用時に常に感じられるノーズパッドの感触から、電源のスタンバイ状態を常に確認でき、表示状態切替用眼鏡を正しく動作させて立体映像、または、それぞれの視聴者向けの個別の映像を視聴できているという安心感を得ることができる。
【００２２】
また、上記第３電源制御手段は、上記ノーズパッドが鼻に接触していない場合、上記電源を上記表示状態切替機構を動作させ得ない休止状態とすることが望ましい。
【００２３】
上記構成によれば、第３電源制御手段は、ノーズパッドが鼻に接触していない場合、電源を休止状態とする。そのため、視聴者が表示状態切替用眼鏡を外してノーズパッドが鼻と接触しなくなったことを第３電源制御手段に検知させることで、電源を休止状態とし、消費電力を低減できる。
【００２４】
また、視聴者の体温を検知することで、上記電源を上記スタンバイ状態とする第４電源制御手段を備えていることが望ましい。
【００２５】
上記構成によれば、視聴者の体温を検知することで電源をスタンバイ状態とする第４電源制御手段を備えている。そのため、視聴者の表示状態切替用眼鏡の着用動作に伴い、視聴者の体温を第４電源制御手段に検知させることで、確実に電源をスタンバイ状態にすることができる。なお、視聴者の体温の検知は、公知の体温センサを用いて行うことが可能である。
【００２６】
また、上記第４電源制御手段は、視聴者の体温を検知していない場合、上記電源を上記表示状態切替機構を動作させ得ない休止状態とすることが望ましい。
【００２７】
上記構成によれば、第４電源制御手段は、視聴者の体温を検知していない場合、電源を休止状態とするので、消費電力を低減できる。
【００２８】
また、視聴者の血流を検知することで、上記電源を上記スタンバイ状態とする第５電源制御手段を備えていることが望ましい。
【００２９】
上記構成によれば、視聴者の血流を検知することで電源をスタンバイ状態とする第５電源制御手段を備えている。そのため、視聴者の表示状態切替用眼鏡の着用動作に伴い、視聴者の血流を第５電源制御手段に検知させることで、確実に電源をスタンバイ状態にすることができる。なお、視聴者の血流の検知は、公知の血流センサを用いて行うことができる。
【００３０】
また、上記第５電源制御手段は、視聴者の血流を検知していない場合、上記電源を上記表示状態切替機構を動作させ得ない休止状態とすることが望ましい。
【００３１】
上記構成によれば、第５電源制御手段は、視聴者の血流を検知していない場合、電源を休止状態とするので、消費電力を低減できる。
【００３２】
また、上記認識手段は、上記電源が上記スタンバイ状態である場合に、上記表示状態切替用眼鏡のレンズのいずれかの位置に、上記電源が上記スタンバイ状態であることを表示するものであることが望ましい。
【００３３】
上記構成によれば、表示状態切替用眼鏡の着用時に、電源がスタンバイ状態にあることを、視聴者が表示状態切替用眼鏡のレンズのいずれかの位置に目視認識することができる。それにより、視聴者が立体映像、または、それぞれの視聴者向けの個別の映像を視聴する際に生じる、表示状態切替用眼鏡を正しく動作させて、立体映像またはそれぞれの視聴者向けの個別の映像を視聴できているかどうかという不安感を低減することができる。更に、電源がスタンバイ状態か否かの確認時に視線をずらす必要がなく簡便である。
【発明の効果】
【００３４】
本発明に係る表示状態切替用眼鏡は、以上のように、表示状態切替用眼鏡の着用時に、電源が表示状態切替機構を動作させ得るスタンバイ状態にあることを、認識手段によって視聴者が認識することができるという効果を奏する。それにより、視聴者が立体映像を視聴する際、または、１つの表示装置にて２人の視聴者がそれぞれの視聴者向けの個別の映像を視聴する際に生じる、表示状態切替用眼鏡を正しく動作させて、立体映像またはそれぞれの視聴者向けの個別の映像を視聴できているかどうかという不安感を低減することができるという効果を奏する。
【図面の簡単な説明】
【００３５】
【図１】本発明の一実施形態に係る表示状態切替用眼鏡の構成を示す図である。
【図２】図１の表示状態切替用眼鏡に係るプッシュスイッチ周りを拡大して示す図である。
【図３】本発明のさらに他の実施形態に係る表示状態切替用眼鏡の構成を示す図である。
【図４】図３の表示状態切替用眼鏡に係るテンプルの位置を示す図である。
【図５】本発明のさらに他の実施形態に係る表示状態切替用眼鏡の構成を示す図である。
【図６】本発明のさらに他の実施形態に係る表示状態切替用眼鏡の構成を示す図である。
【図７】図６の表示状態切替用眼鏡に係る体温センサの具体的な構成を示す図である。
【図８】本発明のさらに他の実施形態に係る表示状態切替用眼鏡の構成を示す図である。
【図９】本発明のさらに他の実施形態に係る表示状態切替用眼鏡の構成を示す図である。
【図１０】本発明のさらに他の実施形態に係る表示状態切替用眼鏡の構成を示す図である。
【図１１】表示状態切替用眼鏡を構成する部位を示す図である。
【発明を実施するための形態】
【００３６】
本発明の実施形態について図１〜図１０に基づいて説明すれば、以下のとおりである。説明の便宜上、図面に示した部材と同一の機能を有する部材については、同一の符号を付し、その説明を省略する。
【００３７】
〔１．テンプルを用いた認識例１〕
図１に基づき、本発明の一実施形態に係る表示状態切替用眼鏡の構成について説明する。図１は、表示状態切替用眼鏡の構成を示す構成図である。
【００３８】
図１に示すように、表示状態切替用眼鏡１は、左右のレンズ２と、左右のテンプル３（認識手段）と、表示装置に表示される映像を視聴者に対して表示状態と非表示状態とに切り替える液晶シャッタ４（表示状態切替機構）と、を有している。
【００３９】
上記構成の表示状態切替用眼鏡１を用いて、立体映像、または、それぞれの視聴者向けの個別の映像を視聴するにあたっては、まず、表示状態切替用眼鏡の液晶シャッタを動作させるための液晶シャッタ用電源（図示せず）を、液晶シャッタを動作させ得るスタンバイ状態とする必要がある。この点、上記構成の表示状態切替用眼鏡１においては、視聴者が表示状態切替用眼鏡１のテンプル３を開くと、それを表示状態切替用眼鏡１に設けられたプッシュスイッチ５が連動してスイッチＯＮ状態になることにより、このスタンバイ状態が実現される。
【００４０】
ここで、図１のプッシュスイッチ５周りの拡大図である図２を用い、スタンバイ状態が実現される様子について、より具体的に説明する。図２に示すように、テンプル３を図中矢印方向に開くことで、ヨロイ接触面に設けられたプッシュスイッチ５（第１電源制御手段）がテンプル接触面に押し込まれ、液晶シャッタ用電源がスタンバイ状態となる。本実施形態では、テンプル３がヨロイに設けられたプッシュスイッチ５を押すことについて記載しているが、テンプル３が開かれることで動作し、液晶シャッタ用電源をスタンバイ状態にでき、小型、軽量、人体に対して安全で眼鏡に搭載できる電源制御手段であれば、プッシュスイッチ５をそのような電源制御手段により置換しても構わない。加えて、上述した電源制御手段を設ける位置はヨロイに限定されず、例えばテンプルであっても構わない。
【００４１】
なお、テンプル３が閉じている状態において、プッシュスイッチ５がヨロイ接触面から飛び出している高さを調節することで、テンプル３をどれだけ開いた段階で液晶シャッタ用電源をスタンバイ状態にするかを調節することが可能である。また、このようなプッシュスイッチ５の高さ調節を、表示状態切替用眼鏡１の視聴者別に行うことも可能である。
【００４２】
そして、液晶シャッタ用電源がスタンバイ状態となった後、立体映像を視聴者に対して表示する場合は、表示装置上に左右の目の視差を利用した視差映像が表示されると、その視差映像の表示に同期して、表示状態切替用眼鏡１の左右の液晶シャッタ４が開閉する。これにより、視聴者は視差映像を立体映像として視聴できる。
【００４３】
また、１つの表示装置で複数の視聴者に異なった映像を見せる場合、例えば、視聴者Ａにａ１，ａ２，ａ３，…という視聴者Ａ用映像を順番にフレーム毎に見せ、視聴者Ｂにｂ１，ｂ２，ｂ３，…という視聴者Ｂ用映像を順番にフレーム毎に見せる場合を想定する。この場合、表示装置上にａ１，ｂ１，ａ２，ｂ２，ａ３，ｂ３，…という順に、視聴者Ａ用映像と視聴者Ｂ用映像とを交互に切り替えて表示する。
【００４４】
そして、この視聴者Ａ用映像と視聴者Ｂ用映像との表示切替に同期して、視聴者毎に対応したタイミングで、表示状態切替用眼鏡１の液晶シャッタ４を開閉する。つまり、視聴者Ａが用いる表示状態切替用眼鏡の液晶シャッタは、視聴者Ａ用映像ａ１，ａ２，ａ３，…の時に開き、視聴者Ｂ用映像ｂ１，ｂ２，ｂ３，…の時に閉じる。これにより、視聴者毎に異なった映像を視聴することができる。
【００４５】
上記構成によれば、プッシュスイッチ５は、表示状態切替用眼鏡１の着用時にテンプル３が開かれることに連動してスイッチＯＮ状態になることで、液晶シャッタ用電源をスタンバイ状態にする。つまり、テンプル３を開くという動作が、液晶シャッタ用電源がスタンバイ状態になったという連想に繋がることで、視聴者がスタンバイ状態を認識することができる。この点において、テンプル３は、液晶シャッタ用電源がスタンバイ状態にあることを視聴者に認識させる認識手段として機能しているといえる。
【００４６】
そして、上述の連想を発生させることで、視聴者が立体映像を視聴する際、または、１つの表示装置にて２人の視聴者がそれぞれの視聴者向けの個別の映像を視聴する際に生じる、表示状態切替用眼鏡１を正しく動作させて、立体映像またはそれぞれの視聴者向けの個別の映像を視聴できているかどうかという不安感を低減することができる。その上、表示状態切替用眼鏡１の着用動作に伴うテンプル３を開くという動作によって、確実に液晶シャッタ用電源をスタンバイ状態にすることができる。
【００４７】
〔２．テンプルを用いた認識例２〕
次に、本発明の他の実施形態として、テンプルが着用準備位置から更に開かれることで液晶シャッタ用電源をスタンバイ状態とする表示状態切替用眼鏡１０について、液晶シャッタ用電源のスタンバイ状態を視聴者に認識させるための構成を説明する。
【００４８】
図３に示すように、表示状態切替用眼鏡１０は、ヨロイに圧電素子１１が設けられている。この圧電素子１１は、表示状態切替用眼鏡１０のテンプル３が着用準備位置から更に開かれることで加わる応力によって、電位差を発生させるものである。
【００４９】
ここで、テンプル３の位置を図４に基づいて説明する。図４に示すように、テンプル３の「着用準備位置」とはヒンジが最大角に開き、かつ、表示状態切替用眼鏡１０にテンプルの開閉方向に力がかかっていない位置である。なお、テンプル３が着用準備位置にある場合の左右のテンプル３の先端同士の距離をＸとする。左右のテンプル３の先端同士の距離がＸより大きくなると、表示状態切替用眼鏡１０、中でもテンプル３及びヨロイに力がかかり、テンプル３が閉じる方向へ力がかかる。また、「着用位置」とは視聴者が表示状態切替用眼鏡１０を着用しているときの位置であり、「着用時最大開き位置」とは視聴者が表示状態切替用眼鏡１０を着用するときに最も左右のテンプル３の先端同士の距離が大きくなる位置である。なお、テンプル３が着用位置、または、着用時最大開き位置にある場合、左右のテンプル３の先端同士の距離をそれぞれＹ、Ｚとすると、Ｘ＜Ｙ＜Ｚとなる。つまり、表示状態切替用眼鏡１０の着用時には、まず着用準備位置にテンプル３を開く。そして、顔にぶつからないように更にもう少しテンプル３を着用時最大開き位置まで開いて、テンプル３を顔の側面を通り後方に向けて移動させる。なお、この着用準備位置から着用時最大開き位置までテンプル３を開いていく過程において、テンプル３には、着用準備位置まで閉じる方向へ戻ろうとする力がかかっている。
【００５０】
そして最後に、テンプル３を耳に掛けながら手を離すが、それによりテンプル３は着用時最大開き位置から着用位置までやや閉じる。この着用時においてテンプル３が開いている状態としては、表示状態切替用眼鏡１０が視聴者の顔にフィットしていればよい。そのようにフィットする状態とは、着用準備位置よりややテンプル３が開いた状態、つまりテンプル３が閉じる方向へ戻ろうとする力が幾分かかった状態である。
【００５１】
そして、表示状態切替用眼鏡１０は、テンプル３が着用準備位置からさらに開かれることで圧電素子１１に生じる電位差により、液晶シャッタ用電源をスタンバイ状態とする。すなわち、圧電素子１１は、テンプル３が着用準備位置から更に開かれることで、液晶シャッタ用電源をスタンバイ状態とする第２電源制御手段として機能している。ここで、電位差により液晶シャッタ用電源をスタンバイ状態とするには、例えば公知のスイッチ動作をするトランジスタを用いることが挙げられる。なお、圧電素子１１を設ける位置はヨロイに限定されず、テンプル３が着用準備位置から更に開かれることで応力が加わる位置であればよく、例えばブリッジであっても構わない。
【００５２】
上記構成によれば、表示状態切替用眼鏡１０の着用時に、テンプル３を着用準備位置から更に開くという動作に伴い、圧電素子１１に生じる電位差がセンサにより検知され、それをトリガとして液晶シャッタ用電源がスタンバイ状態となる。換言すれば、視聴者の立場では、テンプル３を更に開くという動作から液晶シャッタ用電源をスタンバイ状態にしたという連想が伴う。この点において、テンプル３は、液晶シャッタ用電源がスタンバイ状態にあることを視聴者に認識させる認識手段として機能しているといえる。
【００５３】
そして、上述の連想を発生させることで、表示状態切替用眼鏡１０を正しく動作させて立体映像、または、それぞれの視聴者向けの個別の映像を視聴できているという安心感を視聴者に与えることができる。
【００５４】
その上、表示状態切替用眼鏡１０の着用動作に伴うテンプル３を更に開くという動作によって、確実に液晶シャッタ用電源をスタンバイ状態にすることができる。
【００５５】
さらに、液晶シャッタ用電源がスタンバイ状態であることを視聴者により確実に認識させるため、テンプル３が着用準備位置から更に開かれる場合に、ノッチ音が発生するようにテンプル３のヒンジを構成してもよい。このようにノッチ音が発生するようにしておけば、ノッチ音によっても、液晶シャッタ用電源がスタンバイ状態になったことを視聴者に認識させることができる。
【００５６】
また、テンプル３が、着用準備位置あるいは着用準備位置よりも閉じられた位置である場合、液晶シャッタ用電源を液晶シャッタ４を動作させ得ない休止状態としてもよい。これは、圧電素子１１での電位差が発生していない場合に、液晶シャッタ用電源を休止状態とすることで実現できる。
【００５７】
上記構成によれば、第２電源制御手段である圧電素子１１は、テンプル３が着用準備位置あるいは着用準備位置よりも閉じられた位置である場合、圧電素子１１において電位差が０となり、液晶シャッタ用電源を休止状態とする。そのため、視聴者が表示状態切替用眼鏡１０を外し、テンプル３が着用準備位置に戻ったこと、あるいは着用準備位置よりも閉じられた位置にテンプル３があることで、圧電素子１１において電位差が０となり、液晶シャッタ用電源を休止状態として、消費電力を低減できる。
【００５８】
〔３．ノーズパッドによる認識例〕
また、ノーズパッドを用いて、液晶シャッタ用電源がスタンバイ状態になったことを視聴者に認識させることも可能であるので、本発明のさらに他の実施形態として以下に説明する。
【００５９】
すなわち、図５に示すように、表示状態切替用眼鏡２０に設けられたノーズパッド２１に圧電素子２２を設ける。そして、視聴者が表示状態切替用眼鏡２０を着用する時、ノーズパッド２１に鼻からの応力がかかることにより圧電素子２２に電位差が生じるので、この電位差を、液晶シャッタ用電源をスタンバイ状態とするためのトリガとすることができる。すなわち、圧電素子２２は、ノーズパッド２１に応力がかかることを検知することで、液晶シャッタ用電源をスタンバイ状態とする第３電源制御手段として機能している。
【００６０】
上記構成によれば、表示状態切替用眼鏡２０の着用時に、ノーズパッド２１に鼻からの応力がかかることにより圧電素子２２に電位差が生じ、これをトリガとして液晶シャッタ用電源がスタンバイ状態となる。視聴者の立場で言い換えれば、液晶シャッタ用電源がスタンバイ状態にあることを、ノーズパッド２１の鼻への接触によって認識することができる。この点において、ノーズパッド２１は、液晶シャッタ用電源がスタンバイ状態にあることを視聴者に認識させる認識手段として機能しているといえる。
【００６１】
そして、上述の連想を発生させることで、視聴者が立体映像、または、それぞれの視聴者向けの個別の映像を視聴する際に生じる、表示状態切替用眼鏡２０を正しく動作させて立体映像を視聴できているかどうかという不安感を低減することができる。その上、表示状態切替用眼鏡２０の着用動作に伴うノーズパッド２１を鼻に当てるという動きによって、確実に液晶シャッタ用電源をスタンバイ状態にすることができる。
【００６２】
また、視聴者は、表示状態切替用眼鏡２０の着用時に常に感じられるノーズパッド２１の感触から、液晶シャッタ用電源のスタンバイ状態を常に確認でき、表示状態切替用眼鏡２０を正しく動作させて立体映像、または、それぞれの視聴者向けの個別の映像を視聴できているという安心感を得ることができる。
【００６３】
また、ノーズパッド２１が鼻に接触していない場合、液晶シャッタ用電源を液晶シャッタ４を動作させ得ない休止状態としてもよい。これは、ノーズパッド２１が鼻に接触していない場合、つまり、圧電素子２２での電位差が０である場合、液晶シャッタ用電源を休止状態とすることで実現可能である。これにより、液晶シャッタ用電源を適宜休止状態とし、消費電力を低減できる。
【００６４】
〔４．体温センサによる電源制御〕
また、図６に示すように、表示状態切替用眼鏡３０に設けられた体温センサ３１を用いて、液晶シャッタ用電源の制御を行うことも可能であるので、本発明の更に他の実施形態として以下に説明する。
【００６５】
表示状態切替用眼鏡３０に設けられる体温センサ３１として、熱電対が用いられる。熱電対の一端は、表示状態切替用眼鏡３０の身体への接触部として、たとえばテンプルに設けられる。また、熱電対の他端は、表示状態切替用眼鏡３０における視聴者の身体への非接触部として、たとえばヨロイに設けられる。
【００６６】
このように、熱電対の両端を身体への接触部および非接触部のそれぞれに設けることで、熱電対の両端で温度差が生じるので、熱電対に電位差が生じる。そして、このように熱電対に生じる電位差を、液晶シャッタ用電源をスタンバイ状態にするためのトリガとしてもよい。すなわち、体温センサ３１を、視聴者の体温を検知することで、液晶シャッタ用電源をスタンバイ状態とする第４電源制御手段として機能させてもよい。
【００６７】
ここで、体温センサ３１の具体的な構成について図７を用いて説明する。図７に示すように、熱電対で生じた電位差によって、熱電対に電気的に接続されたコイルに電流が流れ、コイル内に磁界が発生する。そして、コイル内のスイッチ部材（磁石）が磁力によって移動することで、液晶シャッタ電源はスタンバイ状態となる。
【００６８】
なお、熱電対の一端が設けられる接触部は、テンプルに限定されるものではない。たとえば、ノーズパッドに熱電対の一端を設けてもよい。また、熱電対の他端が設けられる非接触部は、ヨロイに限定されるものではない。たとえば、レンズのリムに熱電対の他端を設けてもよい。
【００６９】
上記構成によれば、表示状態切替用眼鏡３０の着用時に、体温センサ３１により視聴者の体温を検知し、液晶シャッタ用電源をスタンバイ状態にする。言い換えれば、液晶シャッタ用電源がスタンバイ状態であることを、表示状態切替用眼鏡３０の着用時に体温センサ３１が設けられた表示状態切替用眼鏡３０の部位（身体への接触部）が自身に触れることによって、視聴者は認識することができる。この点、体温センサ３１が設けられた表示状態切替用眼鏡３０の部位が、液晶シャッタ用電源がスタンバイ状態にあることを視聴者に認識させる認識手段として機能しているといえる。
【００７０】
そして、そのようにスタンバイ状態を認識させることで、視聴者が立体映像、または、それぞれの視聴者向けの個別の映像を視聴する際に生じる、表示状態切替用眼鏡３０を正しく動作させて立体映像、または、それぞれの視聴者向けの個別の映像を視聴できているかどうかという不安感を低減することができる。その上、表示状態切替用眼鏡３０の着用動作に伴い、確実に液晶シャッタ用電源をスタンバイ状態にすることができる。
【００７１】
また、視聴者の体温を体温センサ３１が検知していない場合、液晶シャッタ用電源を液晶シャッタを動作させ得ない休止状態としてもよい。これにより、液晶シャッタ用電源を適宜休止状態として、消費電力を低減できる。
【００７２】
〔５．血流センサによる電源制御〕
また、視聴者の血流を検知することにより液晶シャッタ用電源の制御を行うことも可能であるので、本発明のさらに他の実施形態として以下に説明する。
【００７３】
視聴者の血流の検知は、図８に示すように、表示状態切替用眼鏡４０のノーズパット２１に血流センサ４１を設けることにより実現可能である。なお、血流センサ４１は、接触型のものであれば、テンプルをはじめとする表示状態切替用眼鏡４０における身体への接触部分に設ければよい。また、血流センサ４１が非接触型のものである場合、血流の検知精度を向上させるために、表示状態切替用眼鏡４０においてなるべく身体に近い位置に血流センサを設ければよい。
【００７４】
そして、視聴者が表示状態切替用眼鏡４０を着用する際、視聴者の血流を血流センサ４１で検知する。そして、血流センサ４１により視聴者の血流が検知されたことを、液晶シャッタ用電源をスタンバイ状態にするためのトリガとしてもよい。すなわち、血流センサ４１を、視聴者の血流を検知することで、液晶シャッタ用電源をスタンバイ状態とする第５電源制御手段として機能させてもよい。
【００７５】
上記構成によれば、表示状態切替用眼鏡４０の着用時に、血流センサ４１で視聴者の血流を検知し、液晶シャッタ用電源をスタンバイ状態にする。言い換えれば、液晶シャッタ用電源がスタンバイ状態であることを、表示状態切替用眼鏡４０の着用時に血流センサ４１が設けられた表示状態切替用眼鏡４０の部位が自身に触れることで、視聴者は液晶シャッタ用電源のスタンバイ状態を認識することができる。この点、血流センサ４１が設けられた表示状態切替用眼鏡４０の部位が、液晶シャッタ用電源がスタンバイ状態にあることを視聴者に認識させる認識手段として機能しているといえる。
【００７６】
そして、そのようにスタンバイ状態を認識させることで、視聴者が立体映像、または、それぞれの視聴者向けの個別の映像を視聴する際に生じる、表示状態切替用眼鏡４０を正しく動作させて立体映像を視聴できているかどうかという不安感を低減することができる。その上、表示状態切替用眼鏡４０の着用動作に伴い、確実に液晶シャッタ用電源をスタンバイ状態にすることができる。
【００７７】
また、視聴者の血流を血流センサ４１が検知していない場合、液晶シャッタ用電源を液晶シャッタ４を動作させ得ない休止状態としてもよい。これにより、液晶シャッタ用電源を適宜休止状態として、消費電力を低減できる。
【００７８】
〔６．インジケーターによる認識例〕
また、ＬＥＤ等のインジケーターを液晶シャッタ用電源がスタンバイ状態であることを視聴者に認識させる認識手段とすることも可能なので、本発明のさらに他の実施形態として以下に説明する。
【００７９】
すなわち、図９に示すように、液晶シャッタ用電源がスタンバイ状態である場合に、表示状態切替用眼鏡５０のレンズのいずれかの位置に、液晶シャッタ用電源がスタンバイ状態であることをインジケーター５１（認識手段）により表示する。
【００８０】
なお、図９に記載されている“スイッチ”は、第１電源制御手段であるプッシュスイッチと同等の機能を有している。すなわち、図９に記載のスイッチは、表示状態切替用眼鏡５０の着用時にテンプル３が開かれることに連動して、液晶シャッタ用電源をスタンバイ状態とするものである。そして、そのように液晶シャッタ用電源がスタンバイ状態になったことに連動して、インジケーター５１を表示させればよい。ここで、図９に記載のスイッチは第１電源制御手段であるプッシュスイッチと同等の機能を有するスイッチに限定されるものではない。たとえば、図９に記載のスイッチを視聴者が手動にてスイッチＯＮ状態とすることで、液晶シャッタ用電源をスタンバイ状態にするプッシュスイッチであってもよい。さらに、図９に記載のスイッチを視聴者が手動にてスイッチＯＮ状態とすることで、液晶シャッタ用電源をスタンバイ状態にするプッシュスイッチである場合、図９に記載のスイッチを設ける位置はヨロイ接触面に限定されるものではなく、テンプル３やヨロイ接触面以外のヨロイに設けてもよい。
【００８１】
上記構成によれば、表示状態切替用眼鏡５０の着用時に、液晶シャッタ用電源がスタンバイ状態にあることを、インジケーター５１の表示によって視聴者が認識することができる。それにより、視聴者が立体映像を視聴する際に生じる、表示状態切替用眼鏡５０を正しく動作させて立体映像、または、それぞれの視聴者向けの個別の映像を視聴できているかどうかという不安感を低減することができる。なお、表示状態切替用眼鏡５０の電池残量が残り少ない場合には、インジケーター５１を点滅させることにより視聴者に残量が少ない旨を知らせてもよい。
【００８２】
そして、インジケーター５１を設ける位置は、視聴の妨げにならないことに加え、視線をずらさずとも視界の片隅に見える位置を選べばよい。そうであれば、液晶シャッタ用電源がスタンバイ状態か否かの確認時に視線をずらす必要がなく簡便である。
【００８３】
なお、図１〜図９でレンズを左右二つに分けて描いているが、機能上に支障が無ければ図１０に示すように左右一体型のレンズであってもよい。
【００８４】
〔７．無線電力供給〕
なお、表示状態切替用眼鏡の液晶シャッタ用電源に対する電力供給を、無線電力供給により行うことも可能である。無線電力供給を実現するためには、表示装置側に電力送電部を設ける一方、表示状態切替用眼鏡に受電部を設ける。送電部には、送電コイルと電源部とが設けられ、受電部には、受電コイルが設けられている。電源部から交流電流を送電コイルに供給することで、送電コイルと受電コイルとの間で磁界が振動し、共鳴現象が起こる所定の周波数を有する磁場を発生させることができる。そして、送電コイルで磁場を発生させ、送電コイルと受電コイルとの間で磁場を共鳴させることで、送電部から受電部へ電力を無線供給することができる。
【００８５】
上記構成によれば、表示状態切替用眼鏡の電池交換の回数が減ったり、不要になったり、物理的な電力配線が不要になることで視聴者の動きの制限が軽減されるといった、従来の視聴者の負担が軽減される。
【産業上の利用可能性】
【００８６】
本発明の表示状態切替用眼鏡は、表示状態切替用眼鏡の着用時に、電源が表示状態切替機構を動作させ得るスタンバイ状態にあることを、認識手段によって視聴者が認識することができる。それにより、視聴者が立体映像を視聴する際、または、１つの表示装置にて２人の視聴者がそれぞれの視聴者向けの個別の映像を視聴する際に生じる、表示状態切替用眼鏡を正しく動作させて、立体映像またはそれぞれの視聴者向けの個別の映像を視聴できているかどうかという不安感を低減することができる。
【符号の説明】
【００８７】
１，１０，２０，３０，４０，５０  表示状態切替用眼鏡
３  テンプル（認識手段）
２１  ノーズパッド(認識手段）
５１  インジケーター（認識手段）
４  液晶シャッタ（表示状態切替機構）
５  プッシュスイッチ（第１電源制御手段）
１１  圧電素子（第２電源制御手段）
２２  圧電素子（第３電源制御手段）
３１  体温センサ（第４電源制御手段）
４１  血流センサ（第５電源制御手段）
【図１】
0005636295.tif 000002
【図２】
0005636295.tif 000003
【図３】
0005636295.tif 000004
【図４】
0005636295.tif 000005
【図５】
0005636295.tif 000006
【図６】
0005636295.tif 000007
【図７】
0005636295.tif 000008
【図８】
0005636295.tif 000009
【図９】
0005636295.tif 000010
【図１０】
0005636295.tif 000011
【図１１】
0005636295.tif 000012